(57)【要約】【課題】工期およびコストの低減が可能な床パネル運搬方法を提供する。【解決手段】頭部３１および座金３２を上にしてボルト貫通孔２１にネジ部３３を貫通させるボルト貫通ステップと、床パネル２０の下側に突出したネジ部３３に、ナット３４および固定プレート４０を装着し、座金３２と床パネル２０の表面２０ａとの間に、隙間ＳＰを形成可能な位置にナット３４をかみ合わせるナット側部材締結ステップと、隙間ＳＰに吊下金具５０を挿入し、吊下金具５０をボルト３０を係合させる吊下金具装着ステップと、吊下金具５０に、吊上装置の吊具１００を掛ける吊具掛けステップと、吊上装置により床パネル２０を、床パネル２０を床梁１２、１２に架け渡すよう運搬する床パネル運搬ステップと、ボルト３０から吊下金具５０を取り外す吊下金具取り外しステップとを備える床パネル運搬方法とした。【選択図】図２
2020193083.tif 000002
【特許請求の範囲】
【請求項１】
床パネルを、吊上げ装置により建物の一対の床梁に架け渡すよう運搬する床パネル運搬方法であって、
前記床梁に載置される前記床パネルの端部近傍に形成されたボルト貫通孔に、前記ボルト貫通孔よりも大きな頭部側部材を上にしてボルトのネジ部を貫通させるボルト貫通ステップと、
前記ボルト貫通孔から前記床パネルの下側に突出した前記ネジ部に、前記ボルト貫通孔よりも大きなナット側部材をかみ合わせ、さらに、前記ナット側部材の位置は、前記ボルトを前記ナット側部材に規制されるまで引き上げた際に、前記頭部側部材と前記床パネルとの間に、所定の間隔の隙間を形成可能とする位置とするナット装着ステップと、
前記隙間に吊下金具を挿入し、前記吊下金具を前記ボルトに係合させる吊下金具装着ステップと、
前記吊下金具に、前記吊上装置の吊具を掛ける吊具掛けステップと、
前記吊上装置により前記床パネルを、一対の前記床梁に架け渡すよう運搬する床パネル運搬ステップと、
前記隙間から前記吊下金具を取り外す吊下金具取り外しステップと、
を備える床パネル運搬方法。
【請求項２】
請求項１に記載の床パネル運搬方法において、
前記吊下金具は、前記隙間に挿入し前記ボルトに係合させるボルト係合片と、前記ボルト係合片と一体に設けられ前記吊具を係合させる吊具係合部と、を備え、さらに、前記ボルト係合片は、前記ボルト係合片の一端から中央に向けて前記ネジ部を挿通可能である一方、前記頭部側部材を挿通不可能な幅のネジ部挿通穴を備え、
前記吊下金具装着ステップでは、前記ボルト係合片を前記隙間に挿入させながら、前記ネジ部挿通穴に前記ネジ部を挿通させて前記ボルト係合片を前記ボルトに係合させ、
前記吊具掛けステップでは、前記床パネルの両端の前記ボルトに係合された一対の前記吊下金具の前記吊具係合部に前記吊具を係合させて吊り上げる床パネル運搬方法。
【請求項３】
請求項１または請求項２に記載の床パネル運搬方法において、
前記ボルト貫通孔の上端部に、前記頭部側部材を前記床パネルの表面よりも下方位置に収容可能な凹部を備え、
前記吊下金具取り外しステップでは、前記吊下金具を取り外した後、前記頭部側部材を前記凹部に収容する床パネル運搬方法。
【請求項４】
請求項３に記載の床パネル運搬方法において、
前記ナット側部材は、前記ネジ部にかみ合うナットと、前記ナットの上側に配置されて前記ネジ部に沿って移動可能に設けられるとともに、前記床パネルを前記床梁に架け渡した際に前記床梁と上下方向で係合しない非係合位置と、上下方向で係合する係合位置とに移動可能に装着された固定部材と、を備え、
前記床パネル運搬ステップでは、前記固定部材を前記非係合位置に配置する床パネル運搬方法。
【請求項５】
請求項１〜請求項４のいずれか１項に記載の床パネル運搬方法に用いる吊下金具であって、
前記ボルトに係合させるボルト係合片と、前記ボルト係合片を前記隙間に挿入した状態で前記床パネルの表面から立ち上がった状態となる角度で前記ボルト係合片と一体に設けられ、かつ、前記吊具を係合可能な吊下片と、を備え、
前記ボルト係合片は、前記吊下片側の端部から前記ボルト係合片の中央部にかけて、前記ネジ部を挿通可能である一方、前記頭部側部材を挿通できない幅のネジ部挿通穴を備え、
前記吊下片は、前記ボルト係合片側の端部に、前記ネジ部挿通穴に連続して形成され、前記頭部側部材を前記ネジ部挿通穴に沿う方向に挿通可能に開口された頭部挿通穴と、前記吊具を係止可能な係止部と、を備える吊下金具。
【請求項６】
一対の床梁に架け渡した前記床パネルを、前記床パネルのボルト貫通孔に頭部側部材を上にしてネジ部が貫通されたボルトと、前記床パネルの下側に位置して前記ネジ部に装着された固定部材と、を用いて前記床梁に固定する床パネル固定方法であって、
前記ボルト貫通孔は、前記床パネルを前記床梁に架け渡した際に水平方向位置が前記床梁と重ならない位置に形成され、前記固定部材は、前記ネジ部に対して、前記床パネルを前記床梁に架け渡した際に前記床梁と上下方向で係合しない非係合位置と、上下方向で係合する係合位置とに移動可能に装着されており、
前記ボルトを、前記頭部側部材を上にしてネジ部を前記ねじ貫通孔に貫通させるボルト貫通ステップと、
前記床パネルを貫通して下側に突出した前記ネジ部に前記固定部材を装着した後、前記固定部材の下側から前記ネジ部にナットを装着し、さらに、前記固定部材を前記非係合位置に配置するナット装着ステップと、
前記床パネルを、一対の前記床梁に架け渡した所定の設置位置に運搬する運搬ステップと、
前記固定部材を前記係合位置に移動させ、さらに、前記ナットを締結して前記固定部材と前記床パネルとで前記床梁の被締結部を挟んだ状態として前記床パネルを前記床梁に固定する固定ステップと、
を備える床パネル固定方法。
【請求項７】
請求項６に記載の床パネル固定方法であって、
前記ボルト貫通ステップから前記運搬ステップに、前記請求項１〜請求項４のいずれか１項に記載の床パネル運搬方法を用いる床パネル固定方法。
【発明の詳細な説明】
【技術分野】
【０００１】
本発明は、床パネル運搬方法、床パネル運搬方法に用いる吊下金具および床パネル固定方法に関する。
【背景技術】
【０００２】
従来、ボルトを用いて床梁に長手方向両端を固定するようにした床パネルは知られている（例えば、特許文献１参照）。この従来技術では、床梁に固定されたスタッドボルトを、床パネルの貫通穴に挿通させ、スタッドボルトにナットを締結して床パネルを床梁に固定するようにしている。
また、このような床パネルを、吊り上げて運搬する吊上げ冶具が知られている（例えば、特許文献２参照）。この従来技術は、一対の棒状部材を回転自在に連結した冶具により、棒状部材の先端の把持手段により床パネルの側面を挟んで吊り上げるようにしている。
【先行技術文献】
【特許文献】
【０００３】
【特許文献１】特開２００９−１０２８３２号公報
【特許文献２】特開平８−２５９１７０号公報
【発明の概要】
【発明が解決しようとする課題】
【０００４】
ところで、床パネルを、建設現場の建物の床梁上に運搬する際、床パネルにワイヤなどにより紐掛けし、吊上装置により吊り上げて運搬するのが一般的である。この場合、床パネルに掛けた紐を外すための隙間が必要なため、所定の設置位置（例えば、特許文献１に記載のようにスタッドボルトをボルト挿通穴に挿通させる位置）からずらした位置に仮置きすることになる。
したがって、紐掛けおよびその取り外しの作業の手間に加え、床パネルを仮置き位置から所定の設置域に移動させる作業に手間を要し、その分、工期およびコストの増加を招く。
【０００５】
特許文献２に記載の吊上げ冶具を用いた場合も、床パネルを下ろす際に、隣り合って配置される床パネルとの間に、把持手段を入れる空間が必要であり、上記と同様に設置すべき位置にそのまま下ろすことができない。よって、上記と同様に、床パネルを仮置き位置から所定の設置域に移動させる作業に手間を要し、その分、工期およびコストの増加を招く。
【０００６】
本開示は、上述の従来の問題点に着目してなされたもので、床パネルの運搬作業の手間を削減し、工期およびコストの低減が可能な床パネル運搬方法、吊下金具および床パネル固定方法を提供することを目的としている。
【課題を解決するための手段】
【０００７】
前記目的を達成するために、本開示の床パネル運搬方法は、床パネルを、吊上げ装置により建物の一対の床梁に架け渡すよう運搬する床パネル運搬方法であって、前記床梁に載置される前記床パネルの端部近傍に形成されたボルト貫通孔に、前記ボルト貫通孔よりも大きな頭部側部材を上にしてボルトのネジ部を貫通させるボルト貫通ステップと、前記ボルト貫通孔から前記床パネルの下側に突出した前記ネジ部に、前記ボルト貫通孔よりも大きなナット側部材をかみ合わせ、さらに、前記ナット側部材の位置は、前記ボルトを前記ナット側部材に規制されるまで引き上げた際に、前記頭部側部材と前記床パネルとの間に、所定の間隔の隙間を形成可能とする位置とするナット装着ステップと、前記隙間に吊下金具を挿入し、前記吊下金具を前記ボルトに係合させる吊下金具装着ステップと、前記吊下金具に、前記吊上装置の吊具を掛ける吊具掛けステップと、前記吊上装置により前記床パネルを、一対の前記床梁に架け渡すよう運搬する床パネル運搬ステップと、前記隙間から前記吊下金具を取り外す吊下金具取り外しステップと、を備える。
【０００８】
また、本開示の吊下金具は、前記ボルトに係合させるボルト係合片と、前記ボルト係合片を前記隙間に挿入した状態で前記床パネルの表面から立ち上がった状態となる角度で前記ボルト係合片と一体に設けられ、かつ、前記吊具を係合可能な吊下片と、を備え、前記ボルト係合片は、前記吊下片側の端部から前記ボルト係合片の中央部にかけて、前記ネジ部を挿通可能である一方、前記頭部側部材を挿通できない幅のネジ部挿通穴を備え、前記吊下片は、前記ボルト係合片側の端部に、前記ネジ部挿通穴に連続して形成され、前記頭部側部材を前記ネジ部挿通穴に沿う方向に挿通可能に開口された頭部挿通穴と、前記吊具を係止可能な係止部と、を備える。
【０００９】
また、本開示の床パネル固定方法は、一対の床梁に架け渡した前記床パネルを、前記床パネルのボルト貫通孔に頭部を上にしてネジ部が貫通されたボルトと、前記床パネルの下側に位置して前記ネジ部に装着された固定部材と、を用いて前記床梁に固定する床パネル固定方法であって、さらに、前記ボルト貫通孔は、前記床パネルを前記床梁に架け渡した際に水平方向位置が前記床梁と重ならない位置に形成され、前記固定部材は、前記ネジ部に対して、前記床パネルを前記床梁に架け渡した際に前記床梁と上下方向で係合しない非係合位置と、上下方向で係合する係合位置とに移動可能に装着されている。そして、前記ボルトを、前記頭部を上にしてネジ部を前記ねじ貫通孔に貫通させるボルト貫通ステップと、前記床パネルを貫通して下側に突出した前記ネジ部に前記固定部材を装着した後、前記固定部材の下側から前記ネジ部にナットを装着し、さらに、前記固定部材を前記非係合位置に配置するナット装着ステップと、前記床パネルを、一対の前記床梁に架け渡した所定の設置位置に運搬する運搬ステップと、前記固定部材を前記係合位置に移動させ、さらに、前記ナットを締結して前記固定部材と前記床パネルとで前記床梁の被締結部を挟んだ状態として前記床パネルを前記床梁に固定する固定ステップと、を備える。
【発明の効果】
【００１０】
本開示の床パネル運搬方法では、床パネルの運搬作業の手間を削減し、工期およびコストの低減が可能である。
また、本開示の吊下金具は、床パネル運搬方法の実施を可能とする。
さらに、本開示の床パネル固定方法は、一対の床梁に架け渡された床パネルを、容易に固定することを可能として、工期およびコスト低減が可能である。
【図面の簡単な説明】
【００１１】
【図１】実施の形態１の床パネル運搬方法、吊下金具および床パネル固定方法を適用する建物１の床ＦＬを示す斜視図である。
【図２】実施の形態１の床パネル運搬方法および床パネル固定方法に用いる床パネル２０の要部を示し、ナット側部材締結ステップの実行後にボルト３０を引き上げた状態を示す断面図である。
【図３】実施の形態１の床パネル運搬方法に用いる吊下金具５０を示す斜視図である。
【図４Ａ】実施の形態１の床パネル運搬方法における吊下金具装着ステップの説明図である。
【図４Ｂ】実施の形態１の床パネル運搬方法における吊具掛けステップの説明図である。
【図４Ｃ】実施の形態１の床パネル運搬方法および床パネル固定方法における床パネル運搬ステップの吊上げ時の説明図である。
【図４Ｄ】実施の形態１の床パネル運搬方法および床パネル固定方法における床パネル運搬ステップの床パネルの設置時の説明図である。
【図４Ｅ】実施の形態１の床パネル運搬方法および床パネル固定方法における吊下金具取り外しステップの説明図である。
【図４Ｆ】実施の形態１の床パネル運搬方法により運搬した床パネルを実施の形態１の床パネル固定方法により固定する固定ステップの説明図である。
【発明を実施するための形態】
【００１２】
以下、本開示による床パネル運搬方法、吊下金具および床パネル固定方法を実現する実施形態を、図面に基づいて説明する。
実施の形態１の床パネル運搬方法吊下金具および床パネル固定方法は、図１に示す鉄骨造の建物１の床ＦＬを形成する床パネル２０の運搬に用いる。
【００１３】
床パネル２０は、建物１の床梁１２、１２に架け渡された状態で設置される。なお、床梁１２としては、溝形鋼などを使用することができるもので、本実施の形態１では、上フランジ１２ａおよび下フランジ１２ｂを有するＨ型鋼を用いる。
【００１４】
（床パネルの固定構造の説明）
次に、床パネル２０を床梁１２に固定する構造について説明する。
床パネル２０は、図１に示すように、床梁１２、１２に架け渡すことができる長さを有する長方形の板状に形成され、床梁１２に沿う方向に複数枚並列に並べて床ＦＬが形成される。そして、床パネル２０には、長手方向両端に、図２に示すボルト３０のネジ部３３を上下に貫通させるためのボルト貫通孔２１が上下方向に貫通して形成されている。なお、床パネル２０の材質は、特に限定されるものではなく、プレキャストコンクリートパネルや木質系のパネルなど、公知のものを用いることができる。本実施の形態１では、床パネル２０として、軽量気泡コンクリートパネル（ＡＬＣパネル）を用いている。
【００１５】
ボルト貫通孔２１は、床パネル２０の長手方向では、床梁１２、１２に架け渡した際に、床梁１２の上フランジ１２ａよりも内側に位置するように配置されている。また、床パネル２０の長手方向に直交する幅方向では、床パネル２０の中央に配置されている（図１参照）。さらに、ボルト貫通孔２１の上端部には、後述するボルト３０の頭部３１と座金３２とを収容可能な凹状の座堀穴２２が形成されている。すなわち、座堀穴２２は、その深さがボルト３０の頭部３１と座金３２との上下方向寸法を足し合わせた寸法よりも大きく、その直径が座金３２の直径よりも大径に形成されている。
【００１６】
そして、床パネル２０は、長手方向の両端部に設けられたボルト３０と、このボルト３０の下端部に支持された固定プレート４０およびナット３４と、により床梁１２に固定される。
ボルト３０は、六角形などの多角形の頭部３１の下に、円盤状の座金３２が一体に設けられ、ナット３４はネジ部３３にかみ合わせられている。
【００１７】
固定プレート４０は、金属板材により形成され、基部４１と、この基部４１よりも下方に位置する係合片部４２とにより二段の階段状に形成されている。基部４１には、ボルト３０のネジ部３３を挿通するボルト挿通穴４１ａが形成されている。すなわち、基部４１は、図２に示すように、ナット３４の上側の位置でボルト３０のネジ部３３に、軸方向に移動可能、かつ、回転可能に装着されている。また、基部４１は、ネジ部３３に装着した状態で、床梁１２の上フランジ１２ａと上下方向に干渉しない大きさに形成されている。
【００１８】
係合片部４２は、基部４１から外径方向に延び、基部４１を床パネル２０の裏面に当接させた状態で、床梁１２の上フランジ１２ａの下面に当接可能に、段差（基部４１に対する軸方向の位置）および外径方向の長さが設定されている。すなわち、固定プレート４０は、基部４１をネジ部３３に対して回転させることで、図４Ｄ、図４Ｅに示すように床パネル２０を床梁１２に架け渡した際に床梁１２と上下方向で係合しない非係合位置と、図４Ｆに示すように上下方向で係合する係合位置とに移動可能に装着されている。そして、この固定プレート４０の基部４１の下側にナット３４がかみ合わされ、ナット３４の締結に伴って固定プレート４０がネジ部３３に沿って移動する。
【００１９】
また、床パネル２０を床梁１２に固定する際には、図４Ｅに示すように、ボルト３０の頭部３１および座金３２は、座堀穴２２に収容する。そして、図４Ｆに示すように、固定プレート４０の係合片部４２を床梁１２の上フランジ１２ａの下側に配置した係合位置として、ナット３４を締結することで、上フランジ１２ａを床パネル２０と係合片部４２との間に挟み込んで、床パネル２０を床梁１２に固定することができる。
【００２０】
（吊下金具の説明）
次に、床パネル２０を吊り上げて運搬する際に用いる吊下金具５０について説明する。
吊下金具５０は、金属製の板材により形成され、図３に示すように、矩形のボルト係合片５１と矩形の吊下片５２とにより逆山形断面形状に形成されている。すなわち、ボルト係合片５１を水平に位置させた際に、吊下片５２が斜めに立ち上がる形状に形成されている。
【００２１】
ボルト係合片５１は、ネジ部挿通穴５１ａが形成されている。このネジ部挿通穴５１ａは、吊下片５２側の端縁に開口を有し、この開口から、ボルト係合片５１の中央位置まで延在されている。そして、ネジ部挿通穴５１ａは、ボルト３０のネジ部３３を挿入可能な幅である一方、頭部３１および座金３２の直径よりも小さな幅に形成されている。
【００２２】
吊下片５２は、頭部挿通穴５２ａと係止穴５２ｂとが形成されている。頭部挿通穴５２ａは、ボルト係合片５１に連続する端縁部分にネジ部挿通穴５１ａに連続して形成され、かつ、ボルト３０の頭部３１および座金３２を挿通可能な大きさの矩形状に開口されている。係止穴５２ｂは、吊下片５２の中央から、僅かにボルト係合片５１から離れた位置に円形状に開口されている。
【００２３】
（床パネル運搬方法）
次に、床パネル２０を運搬し、建物１の床梁１２、１２に架け渡し固定する手順を説明する。この運搬として、床パネル２０をトラックに積載し、建築現場に運び、トラックから建物１に設置された床梁１２、１２の上に運搬する場合を例に挙げる。
【００２４】
＜ボルト貫通ステップおよびナット装着ステップ＞
まず、トラックに積載された床パネル２０に、ボルト３０および固定プレート４０を装着する。この場合、ボルト３０の頭部３１および座金３２を上にしてネジ部３３を、図２に示すように、床パネル２０のボルト貫通孔２１に上方から貫通させる（ボルト貫通ステップ）。
【００２５】
次に、ネジ部３３に固定プレート４０を装着する。すなわち、ボルト貫通孔２１の下端から突出したネジ部３３を基部４１のボルト挿通穴４１ａに挿通させる。さらに、固定プレート４０の下に、ネジ部３３の先端側からナット３４をかみ合わせて装着する（ナット装着ステップ）。
このナット３４の装着位置は、ボルト３０を床パネル２０から引き上げて固定プレート４０を床パネル２０の裏面に当接させると、座金３２と床パネル２０の表面２０ａとの間に、吊下金具５０のボルト係合片５１を差し込み可能な隙間ＳＰを形成する位置とする。
【００２６】
＜吊下金具装着ステップ＞
次に、ボルト３０に吊下金具５０を装着する。この場合、図４Ａに示すように、吊下金具５０のボルト係合片５１を、床パネル２０の長手方向端部側から表面２０ａに沿って一点鎖線の矢印の方向に移動させる。そして、頭部挿通穴５２ａに、ボルト３０の頭部３１および座金３２を通過させ、ネジ部挿通穴５１ａの最も奥までネジ部３３を移動させる。これにより、図４Ｂに示すように、ボルト係合片５１は、座金３２と上下方向に係合し、ネジ部３３と水平方向に係合する。さらに、このとき、固定プレート４０は、図２に示すように、係合片部４２が床パネル２０の長手方向で中央の方向を向いた非係合位置に配置する。
【００２７】
＜吊具掛けステップおよび床パネル運搬ステップ＞
床パネル２０を建物１に運搬する際には、まず、吊下金具５０の吊下片５２の係止穴５２ｂに、図４Ｃに示すように、図外のクレーンなどの吊上装置の吊具１００を引っ掛ける（吊具掛けステップ）。なお、吊具１００の先端には、図示は省略するが、係止穴５２ｂに係止可能なフックなどが設けられているものとする。この場合、単に係止穴５２ｂに吊具１００を掛けるだけであり、ワイヤなどにより床パネル２０に紐掛けを行うのと比較して、容易に行うことができ、作業時間の短縮を図ることができる。
【００２８】
次に、吊具１００の紐状部分１０１の中央を図外の吊上装置により吊り上げて移動させ、床パネル２０を、図１に示すように、建物１の一対の床梁１２、１２に架け渡す。なお、床パネル２０の吊り上げ時には、吊下金具５０が、床パネル２０の中央方向に引っ張られるため、ボルト３０のネジ部３３はネジ部挿通穴５１ａの最も奥に位置する状態に維持され、吊下金具５０がボルト３０から脱落しにくい。
【００２９】
そして、床パネル２０に紐掛けを行っていないため、床パネル２０は、床梁１２の所定の設置位置に直接配置することができる。なお、このとき、固定プレート４０は、非係合位置に配置しているため、図４Ｄに示すように、床梁１２の上フランジ１２ａと干渉することなく、床パネル２０を床梁１２に架け渡すことができる。
【００３０】
＜吊下金具取り外しステップ＞
床パネル２０を、床梁１２、１２に架け渡して所定の設置位置に配置したら、吊下金具５０から吊具１００を取り外す。そして、吊下金具５０から吊具１００を外したら、次に、吊下金具５０をボルト３０から取り外す。この場合、吊下金具５０を、矢印Ｍの方向に引っ張ることで、ネジ部３３が、ネジ部挿通穴５１ａに沿って移動し、頭部３１および座金３２が頭部挿通穴５２ａを通過し、吊下金具５０をボルト３０との係合状態から取り外すことができる。
【００３１】
そして、吊下金具５０をボルト３０から取り外したら、ボルト３０は、自重により床パネル２０に対して下方に移動する。これにより、図４Ｅに示すように、頭部３１および座金３２が、座堀穴２２に収容され、固定プレート４０は、床梁１２の上フランジ１２ａよりも低い位置に下がる。
【００３２】
＜床パネル固定ステップ＞
次に、床パネル２０を床梁１２に固定する作業を行う。この場合、まず、固定プレート４０を、ボルト３０を中心に回転させ、係合片部４２を、床梁１２の上フランジ１２ａの下方に配置した係合位置に移動させる。
【００３３】
次に、ナット３４を締結方向に回転させ、ナット３４と頭部３１との間隔を狭めることにより、固定プレート４０の係合片部４２が、床梁１２の上フランジ１２ａの下面に当接する。そして、ナット３４をさらに締結すると、床梁１２の上フランジ１２ａが、床パネル２０の裏面と係合片部４２との間に挟み込まれ、床パネル２０の上下方向の移動が規制されて固定される。また、固定プレート４０の基部４１が、上フランジ１２ａに近接して配置されて、床パネル２０が、床梁１２に対して床パネル２０の長手方向へ移動するのが規制される。
【００３４】
（実施の形態１の作用）
実施の形態１の作用を説明するにあたり、まず、比較例およびその問題点について説明する。
フックを直接掛ける箇所が無い床パネル２０を、トラック（図示せず）の荷台から建物１に運搬する場合に、いわゆる玉掛け作業を行う。具体的には、まず、荷台上で、フックを掛けるためのワイヤやナイロンスリングなどにより紐掛けを行う。そして、紐掛け部分にクレーンなどの吊上装置のフックを引っ掛けて建物１に運搬する。
【００３５】
この運搬により、床パネル２０を、例えば、建物１の床ＦＬの床梁１２、１２に掛け渡す場合、床パネル２０を水平に吊り下げることができる位置に紐掛けを行う必要があり、その作業に経験を要し、また、時間も要する。さらに、運搬後に、床パネル２０からワイヤやナイロンスリングなどを取り外す作業を行う必要があるため、所望の設置位置とは異なる位置、例えば、隣り合う床パネル２０と作業用の隙間を空けた位置に、一旦仮置きする。そして、ワイヤなどを外した後、重い床パネル２０を人力や工具を使うなどして正規の設置位置に移動させるという作業となる。
【００３６】
このように、床パネル２０にワイヤなどの紐掛けを行う作業、これを取り外す作業、床パネル２０を仮置き位置から正規の設置位置に移動させる作業が必要で、トラック荷台上の荷揚げ者も、建物側の荷降ろし者も、手待ち時間が長く、作業効率が悪い。このため、工期およびコストの増加を招く。特に、２階以上の床ＦＬを形成する場合には、正規の設置位置への移動の際に、安全性を確保するための、道具やその作業の手間も要する。
【００３７】
それに対し実施の形態１の床パネル運搬方法では、床パネル２０を床梁１２に固定するためのボルト３０を利用して吊下金具５０を取り付け、この吊下金具５０に、フックを掛けることができる。そして、吊下金具５０の装着は、床パネル２０の表面２０ａに沿って移動させるだけである。このため、紐掛け作業を行う場合と比較して、短時間の作業となり、トラックの荷台上の荷揚げ者の作業時間を短縮できる。
【００３８】
また、吊下金具５０は、床パネル２０の長手方向に沿って移動させることで、装着、取り外しができるため、床パネル２０の運搬時に、隣り合う床パネル２０との間に作業用の空間を設ける必要がなくなり、床パネル２０を、直接、正規の位置に運搬することができる。このため、床パネル２０を仮置き位置から正規位置に移動させる作業が不要となる。また、吊下金具５０の取り外しがワイヤなどを外す場合と比較して、短時間に行うことができる。
【００３９】
さらに、吊下金具５０を用いたことにより、実施の形態１の床パネル運搬方法を容易に実施可能となる。すなわち、ボルト係合片５１は、吊下片５２側の端部からネジ部挿通穴５１ａを形成したため、吊下金具５０をボルト３０に係合させた後に、床パネル２０を吊り上げた際に、吊り上げ力が、ネジ部挿通穴５１ａの奥側にネジ部３３を配置するように作用する。したがって、吊下金具５０がボルト３０から脱落しにくく、作業性に優れる。
【００４０】
また、吊下金具５０は、ボルト係合片５１に対して、吊下片５２が立ち上がるように一体に設けられている。したがって、ボルト係合片５１をボルト３０に係止状態とした状態で、吊下片５２に対する吊具１００の係止を容易に行うことができ、作業性に優れる。しかも、吊下金具５０を、ボルト係合片５１と吊下片５２とにより形成したため、一枚の金属板から形成することが可能であり、製造性に優れる。すなわち、吊具１００を係止可能ボルト係止部として、金属製フックなどを用いた場合、このようなフックをボルト係合片５１に一体に設けるために溶接作業などが必要になり、製造に手間を要する。
【００４１】
さらに、吊下金具５０の吊下片５２には、頭部挿通穴５２ａを形成しているため、吊下金具５０を床パネル２０に沿ってスライドさせるだけで、ボルト３０と係合状態とすることができ、作業性に優れる。
【００４２】
また、床パネル２０を床梁１２に固定するボルト３０を、運搬を行う前に予め床パネル２０に取り付けておき、床パネル２０を床梁１２に固定する際には、固定プレート４０を非係合位置から係合位置に移動させた後、ナット３４を締結するだけの作業となる。このため、床パネル２０を固定する作業時間を短縮することができる。
【００４３】
（実施の形態の効果）
以下に、本実施の形態１の床パネル運搬方法および吊下金具５０の効果を列挙する。
（１）実施の形態１の床パネル運搬方法は、床パネル２０を、建物１の一対の床梁１２、１２に架け渡すよう運搬する床パネル運搬方法であって、下記のステップを備える。
床梁１２に載置される床パネル２０の端部近傍に形成されたボルト貫通孔２１に、ボルト貫通孔２１よりも大きな頭部側部材としての頭部３１および座金３２を上にしてボルト３０のネジ部３３を貫通させるボルト貫通ステップ。
ボルト貫通孔２１から床パネル２０の下側に突出したネジ部３３に、ボルト貫通孔２１よりも大きなナット側部材としてのナット３４および固定プレート４０をかみ合わせ、さらに、ナット３４および固定プレート４０の位置は、ボルト３０をナット３４および固定プレート４０に規制されるまで引き上げた際に、頭部３１および座金３２と床パネル２０との間に、所定の間隔の隙間ＳＰを形成可能とする位置とするナット装着ステップ。
隙間ＳＰに吊下金具５０を挿入し、吊下金具５０をボルト３０に係合させる吊下金具装着ステップ。
吊下金具５０に、吊上装置の吊具１００を掛ける吊具掛けステップ。
吊上装置により床パネル２０を、一対の床梁１２、１２に架け渡すよう運搬する床パネル運搬ステップ。
隙間ＳＰから吊下金具５０を取り外す吊下金具取り外しステップ。
【００４４】
したがって、吊具１００を掛ける箇所としての吊下金具５０を、床パネル２０上に配置できるとともに、その作業として、ボルト３０に係合させるだけの作業とすることができる。よって、床パネル２０にワイヤなどの紐掛けを行う場合と比較して、作業の手間および時間を軽減できる。特に、ワイヤなどにより玉掛けを行う場合は、床パネル２０を水平にバランス良く吊ることができる位置にワイヤを掛ける必要があり、その作業に手間を要するが、本実施の形態１では、その手間を省くことができる。
さらに、床パネル２０を、床梁１２、１２に掛け渡す位置に運搬した際に、隣り合って配置された床パネル２０との間に、紐掛けを外すなどの作業のための空間を確保する必要が無く、所望の設置位置に運搬することができる。よって、床パネル２０を仮置きする作業、仮置き位置から正規の設置位置に移動させる作業が不要であり、その分、作業の手間および時間を軽減できる。加えて、床パネル２０の固定用のボルト３０を利用して床パネル２０を運搬することができ、運搬専用のボルトを用いるものと比較して、部品点数を削減してコスト低減を図ることができ、かつ、その後の固定作業の時間も短縮可能となる。
【００４５】
（２）実施の形態１の床パネル運搬方法は、吊下金具５０は、隙間ＳＰに挿入しボルト３０に係合させるボルト係合片５１と、ボルト係合片５１と一体に設けられ吊具１００を係合させる吊具係合部としての吊下片５２と、を備え、さらに、ボルト係合片５１は、ボルト係合片５１の一端から中央に向けてネジ部３３を挿通可能である一方、頭部３１および座金３２を挿通不可能な幅のネジ部挿通穴５１ａを備える。そして、吊下金具装着ステップでは、ボルト係合片５１を隙間ＳＰに挿入させながら、ネジ部挿通穴５１ａにネジ部３３を挿通させてボルト係合片５１をボルト３０に係合させる。また、吊具掛けステップでは、床パネル２０の両端のボルト３０に係合された一対の吊下金具５０、５０の吊下片５２の係止穴５２ｂに吊具１００を係合させて吊り上げる。
したがって、床パネル２０に設けられたボルト３０に、容易に吊具１００を掛けることが可能となる。しかも、吊具１００を吊り上げた場合に、吊下金具５０、５０は、床パネル２０の中央方向に引っ張られ、ボルト３０のネジ部３３は、ネジ部挿通穴５１ａの奥側に配置され、吊下金具５０とボルト３０との係合が外れにくく、作業性に優れる。
【００４６】
（３）実施の形態１の床パネル運搬方法は、ボルト貫通孔２１の上端部に、頭部３１および座金３２を床パネル２０の表面２０ａよりも下方位置に収容可能な凹部としての座堀穴２２を備える。そして、吊下金具取り外しステップでは、吊下金具５０を取り外した後、頭部３１および座金３２を座堀穴２２に収容する。
したがって、床パネル２０の運搬中に、吊下金具５０と共に、床パネル２０の表面２０ａよりも上に配置していた頭部３１および座金３２を、床パネル２０の運搬後には、座堀穴２２に収容し、床パネル２０の表面２０ａに露出しないようにできる。このため、頭部３１および座金３２が床パネル２０の表面２０ａよりも上に配置されたままとなるものと比較して、頭部３１および座金３２が外観に表れないようにするのが容易であり、外観に表れないようにする手間やコストを抑えることができる。
しかも、予め頭部３１および座金３２を床パネル２０の表面２０ａよりも下方位置に配置した場合、凹部自体を吊下金具５０も収容可能な大きさに形成する必要があり、この場合、この凹部を隠す部材も大型化し、コストアップを招くとともに、外観品質も低下するおそれがある。それに対し、本実施の形態１では、床パネル２０の運搬後に頭部３１および座金３２を座堀穴２２に収容するため、凹部としての座堀穴２２の大きさを小さく抑え、コストアップや外観品質の低下を抑えることができる。
【００４７】
（４）実施の形態１の床パネル運搬方法は、ナット側部材は、ネジ部３３にかみ合うナット３４と、ナット３４の上側に配置されてネジ部３３に沿って移動可能に設けられるとともに、床パネル２０を床梁１２、１２に架け渡した際に床梁１２と上下方向で係合しない非係合位置と、上下方向で係合する係合位置とに移動可能に装着された固定部材としての固定プレート４０と、を備える。そして、運搬ステップでは、固定プレート４０を非係合位置に配置する。
したがって、床パネル２０の固定に用いるボルト３０を、床パネル２０に取り付けた状態で床パネル２０を床梁１２、１２に架け渡した状態としても、ボルト３０が床梁１２、１２に干渉することなく、運搬することができる。
【００４８】
（５）実施の形態１の吊下金具５０は、ボルト３０に係合させるボルト係合片５１と、ボルト係合片５１を隙間ＳＰに挿入した状態で床パネル２０の表面２０ａから立ち上がった状態となる角度でボルト係合片５１と一体に設けられ、かつ、吊具１００を係合可能な吊下片５２と、を備える。そして、ボルト係合片５１は、吊下片５２側の端部からボルト係合片５１の中央部にかけて、ネジ部３３を挿通可能である一方、頭部３１および座金３２を挿通できない幅のネジ部挿通穴５１ａを備える。また、吊下片５２は、ボルト係合片５１側の端部に、ネジ部挿通穴５１ａに連続して形成され、頭部３１および座金３２をネジ部挿通穴５１ａに沿う方向に挿通可能に開口された頭部挿通穴５２ａと、吊具１００を係止可能な係止部としての係止穴５２ｂと、を備える。
したがって、上記の床パネル運搬方法を円滑に実施可能である。
【００４９】
（６）実施の形態１の床パネル固定方法は、一対の床梁１２、１２に架け渡した床パネル２０を、床パネル２０のボルト貫通孔２１に頭部側部材としての頭部３１および座金３２を上にしてネジ部３３が貫通されたボルト３０と、床パネル２０の下側に位置してネジ部３３に装着された固定部材としての固定プレート４０と、を用いて床梁１２、１２に固定する床パネル固定方法である。さらに、ボルト貫通孔２１は、床パネル２０を床梁１２、１２に架け渡した際に水平方向位置が床梁１２と重ならない位置に形成され、固定プレート４０は、ネジ部３３に対して、床パネル２０を床梁１２、１２に架け渡した際に床梁１２と上下方向で係合しない非係合位置と、上下方向で係合する係合位置とに移動可能に装着されている。
そして、床パネル固定方法は、下記のステップを実行する。
ボルト３０を、頭部側部材としての頭部３１および座金３２を上にしてネジ部３３をボルト貫通孔２１に貫通させるボルト貫通ステップ。
床パネル２０を貫通して下側に突出したネジ部３３に固定プレート４０を装着した後、固定プレート４０の下側からネジ部３３にナット３４を装着し、さらに、固定プレート４０を非係合位置に配置するナット装着ステップ。
床パネル２０を、一対の床梁１２、１２に架け渡した所定の設置位置に運搬する運搬ステップ。
固定プレート４０を係合位置に移動させ、さらに、ナット３４を締結して固定プレート４０と床パネル２０とで床梁１２の被締結部としての上フランジ１２ａを挟んだ状態として床パネル２０を床梁１２に固定する固定ステップ。
したがって、予め床パネル２０に床梁１２に固定するためのボルト３０を取り付けていても、ボルト３０を床梁１２、１２に干渉させることなく床パネル２０を床梁１２、１２に架け渡すことができる。よって、床パネル２０の運搬後にボルト３０を取り付ける場合と比較して、固定作業の簡略化を可能として、工期およびコスト低減が可能である。
【００５０】
（７）実施の形態１の床パネル固定方法は、ボルト貫通ステップから運搬ステップに、上記（１）〜（４）のいずれかに記載の床パネル運搬方法を用いる。
したがって、床パネル２０の固定に用いるボルト３０を運搬にも利用でき、固定専用のボルトを用いるものと比較して、部品点数を削減してコスト低減を図ることができ、かつ、作業の時間も短縮可能となる。
【００５１】
（８）実施の形態１の床構造は、床パネル２０を床梁１２に固定した床構造であって、一対の床梁１２、１２に架け渡された床パネル２０と、一対の床梁１２、１２の内側位置で頭部３１を上にして床パネル２０を貫通したボルト３０と、床パネル２０の下方位置でボルト３０のネジ部３３に装着された固定プレート４０と、固定プレート４０の下側でネジ部３３に締結されたナット３４と、を備える。そして、固定プレート４０は、ネジ部３３が挿通され、水平方向で床梁１２の上フランジ１２ａに当接あるいは近接した基部４１と、基部４１からボルト３０の外径方向に延び、床梁１２の上フランジ１２ａの下面に接する係合片部４２とを備える。
したがって、上記の床パネル運搬方法を用いて運搬した床パネル２０を床梁１２に固定することができる。
【００５２】
以上、本開示の床パネル運搬方法、吊下金具および床パネル固定方法を実施の形態に基づいて説明してきた。しかし、本開示の床パネル運搬方法、吊下金具および床パネル固定方法の具体的な構成については、これらの実施の形態に限られるものではなく、特許請求の範囲の各請求項の要旨を逸脱しない限り、各実施の形態の組み合わせ、設計の変更や追加などは許容される。
【００５３】
例えば、実施の形態では、床パネル運搬方法、吊下金具および床パネル固定方法を、鉄骨造の建物１に適用した例を示した。しかし、この床パネル運搬方法は、要は、床パネルを床梁に掛け渡すものであれば、在来工法の建物やユニット建物にも適用可能である。
【００５４】
また、実施の形態では、ボルト３０の頭部側部材として、頭部３１と座金３２とを結合したものを示したが、これに限定されない。例えば、座金３２は、頭部３１と別体としてもよい。また、座金３２に類似して、座金３２とは異なる形状（例えば、矩形板状）のものを用いてもよい。さらに、頭部側部材として、頭部３１のみを用いてもよい。
【００５５】
また、ナット側部材としても、実施の形態では、ナット３４と固定プレート４０とを示したが、これに限定されない。例えば、ナット側部材としてナット３４のみとし、床梁（床梁１２）側にボルト３０のネジ部３３と係合して、ナット３４を締結して床パネル２０を固定することが可能としてもよい。あるいは、床パネル２０の運搬後にネジ部３３に、床梁１２に固定するための部材を設けるようにしてもよい。
【００５６】
また、床梁の形状も、実施の形態で示した床梁１２のようにＨ型鋼に限定されるものではなく、コの字形状のものなど他の形状のものを用いることができる。よって、床梁の被締結部も実施の形態で示した上フランジ１２ａに限定されるものではなく、床梁の形状に応じて適宜設定することができる。
【００５７】
また、実施の形態では、床パネル２０に凹部（座堀穴２２）を設けた例を示したが、床ＦＬの構造によっては、凹部を設けることなく、建具その他の部材によりボルト３０の頭部３１を覆うようにしてもよい。
【００５８】
また、実施の形態では、吊下金具として、ボルト係合片５１と吊下片５２とを備えた吊下金具５０を示したが、これに限定されない。例えば、吊下金具は、ボルト３０の頭部３１や座金３２に係合可能であれば、ロッドをＵ字状に曲げたものなど板状のもの以外のものも用いることが可能である。この場合、全体をロッド状のもので形成してもよい。また、例えば、板状のボルト係合片５１に、フックと係合可能なフック状のロッドを溶接などにより一体に設けることも可能である。逆に、頭部３１や座金３２に係合可能なＵ字状のロッドに板状の吊下片を一体に形成することも可能である。
【符号の説明】
【００５９】
１     建物
１２   床梁
１２ａ 上フランジ（被締結部）
２０   床パネル
２１   ボルト貫通孔
２２   座堀穴（凹部）
３０   ボルト
３１   頭部（頭部側部材）
３２   座金（頭部側部材）
３３   ネジ部
３４   ナット（ナット側部材）
４０   固定プレート（ナット側部材：固定部材）
４２   係合片部
５０   吊下金具
５１   ボルト係合片
５１ａ ネジ部挿通穴
５２   吊下片（吊具係合部）
５２ａ 頭部挿通穴
５２ｂ 係止穴（係止部）
１００ 吊具
ＦＬ   床
ＳＰ   隙間
【図１】
2020193083.tif 000003
【図２】
2020193083.tif 000004
【図３】
2020193083.tif 000005
【図４Ａ】
2020193083.tif 000006
【図４Ｂ】
2020193083.tif 000007
【図４Ｃ】
2020193083.tif 000008
【図４Ｄ】
2020193083.tif 000009
【図４Ｅ】
2020193083.tif 000010
【図４Ｆ】
2020193083.tif 000011